(57)【要約】      （修正有）【課題】開窓部の外周縁に針穴を形成することなく術野及び開窓部外周の清潔を保持可能とし、繰り返しの使用を可能とするサージカルドレープを提供する。【解決手段】防水性を備えたドレープ本体であって、このドレープ本体１には、上端縁２の幅方向中央から下方に開口したＵ字型の開窓部３を設けている。形成した開窓部３の開口縁４には、一定幅に形成したナート帯５を全体に連続して形成配置している。【選択図】図１
0003184688.tif 000002
【実用新案登録請求の範囲】
【請求項１】
防水性を備えたドレープ本体に、患者の術野を露出可能とする開窓部を設けたものにおいて、この開窓部の開口縁に、ナート用のナート帯を設けたことを特徴とするサージカルドレープ。
【請求項２】
防水性を備えたドレープ本体の端縁に、ナート用のナート帯を設けたことを特徴とするサージカルドレープ。
【考案の詳細な説明】
【技術分野】
【０００１】
本考案は、開窓部を設けたサージカルドレープに関するものである。
【背景技術】
【０００２】
従来より、特許文献１に示す如く、術野を露出可能とする開窓部を設けたサージカルドレープが存在する。このような開窓部を術野に臨ませて配置する際には、特許文献１の図４に示す如く、患者の体表面に開窓部の外周縁を覆布テープにて止着固定し、手術中における開窓部の移動を困難なものとしている。
【０００３】
しかし、上記の如く覆布テープにて患者の体表面に開窓部の外周縁を固定する方法では、凹凸のある体表面に覆布テープを張り付けた場合、この覆布テープが体表面からはがれやすくなるため、体表面と開窓部の外周縁との間に隙間が生じるおそれがある。そこで、体表面と開窓部の外周縁との間の隙間を生じにくいものとするために、開窓部の外周縁を患者の皮膚に直接ナートする(縫い付ける)ことにより、開窓部の外周縁を患者の体表面に固定する方法が知られている。
【先行技術文献】
【特許文献】
【０００４】
【特許文献１】実用新案登録第３１８１０５８号公報
【考案の開示】
【考案が解決しようとする課題】
【０００５】
しかしながら、上記の如く開窓部の外周縁をナートした場合、開窓部の外周縁に複数の針穴が形成されるものとなる。そのため、次の使用時に針穴が開窓部の外周縁に残った状態となり、開窓部の外周縁において防水性が損なわれるとともに、針穴を介して清潔部分と不潔部分とが連通した状態となるため、術野の清潔を保持することが困難となり、繰り返しの使用ができないものとなる。
【０００６】
そこで、本考案は上述の如き課題を解決しようとするものであって、開窓部の外周縁に針穴を形成することなく術野及び開窓部外周の清潔を保持可能とし、繰り返しの使用を可能とするサージカルドレープを得ようとするものである。
【課題を解決するための手段】
【０００７】
上述の如き課題を解決するため、本願の第１考案は防水性を備えたドレープ本体に、患者の術野を露出可能とする開窓部を設けたものにおいて、この開窓部の開口縁に、ナート用のナート帯を設けたものである。
【０００８】
また、本願の第２考案は、防水性を備えたドレープ本体の端縁に、ナート用のナート帯を設けたものである。
【考案の効果】
【０００９】
本願の第１、２考案は上述の如く構成したものであって、開窓部の開口縁あるいはドレープ本体の端縁にナート用のナート帯を設け、このナート帯にてナートが行われることから開窓部の外周縁やドレープ本体の端縁に針穴が形成されることがない。そのため、ドレープ本体の防水性を保持することができるとともに、ドレープ本体内外の清潔部分と不潔部分とが連通しないため、ドレープ本体の清潔部分を良好に保持することができ、繰り返しの使用が可能となる。
【図面の簡単な説明】
【００１０】
【図１】第１考案の実施例１を示すサージカルドレープの平面図。
【図２】第１考案の実施例２を示すサージカルドレープの平面図。
【図３】第２考案の実施例３を示すサージカルドレープの平面図。
【図４】実施例３のサージカルドレープを組み合わせた状態を示す平面図。
【図５】実施例３と実施例１のサージカルドレープを組み合わせた状態を示す平面図。
【実施例１】
【００１１】
本発明の実施例１について説明すると、図１に示す如く、(1)は防水性を備えたドレープ本体であって、このドレープ本体(1)には、上端縁(2)の幅方向中央から下方に開口したＵ字型の開窓部(3)を設けている。尚、本実施例及び下記の実施例における上下方向は、図１〜５の上下方向に準ずるものとする。そして、上記の如く形成した開窓部(3)の開口縁(4)には、図１に示す如く一定幅に形成したナート帯(5)を全体に連続して形成配置している。
【００１２】
上記の如く形成したサージカルドレープを使用する際には、開窓部(3)を術野に臨ませて配置するとともに、開窓部(3)の開口縁(4)に設けたナート帯(5)を患者の皮膚にナートする。これにより、開窓部(3)を患者に確実に固定配置することができる。上記の如く、開窓部(3)の開口縁(4)に設けたナート帯(5)にてナートを行うものであるから、ナートすることによってナート帯(5)に針穴が形成されるものの、開窓部(3)の外周縁(7)には針穴が形成されることがない。
【００１３】
そのため、ドレープ本体(1)の防水性を保持することができるとともに、ドレープ本体(1)内外の清潔部分と不潔部分とが連通しないため、術野及び開窓部(3)外周の清潔を良好に保つことができる。従って、サージカルドレープの繰り返しの使用が可能となる。尚、本実施例では図１に示す如く開窓部(3)をＵ字型に形成しているが、他の異なる実施例ではこれに限らず、コ字型に形成したものであっても良い。
【実施例２】
【００１４】
また、上記実施例１では開窓部(3)の形状をドレープ本体(1)の上端縁(2)から下方に開口したＵ字型としているが、本実施例２では図２に示す如く開窓部(3)の形状を略長方形とし、ドレープ本体(1)の幅方向中央部に設けている。そして、この略長方形の開窓部(3)の開口縁(4)全体には、ナート帯(5)を設けている。
【００１５】
このように開窓部(3)の開口縁(4)全体にナート帯(5)を設け、このナート帯(5)を患者の皮膚にナートすることにより、ドレープ本体(1)に針穴を形成することなく開窓部(3)を患者に固定配置することができる。尚、本実施例では開窓部(3)を略長方形に形成しているが、他の異なる実施例ではこれに限らず、円形又は長円形等に形成したものであっても良い。
【実施例３】
【００１６】
また、上記実施例１、２では、開窓部(3)の開口縁(4)にそれぞれナート帯(5)を形成しているが、本実施例３では、図３に示す如くドレープ本体(1)の一端縁(6)に沿ってナート帯(5)を設けている。そして、図４、５に示す如く、本実施例や上記実施例１のサージカルドレープを複数枚組み合わせることにより、開窓部(3)を形成することができる。
【００１７】
即ち、図４に示す如く、本実施例のサージカルドレープを４枚用意し、各サージカルドレープのナート帯(5)側を上下左右に対向させて配置することにより、略長方形の開窓部(3)を形成することができる。そして、この開窓部(3)の内周にはナート帯(5)が位置するため、このナート帯(5)を患者の皮膚にナートすることにより、開窓部(3)を患者に固定配置することができる。
【００１８】
また、図５に示す如く本実施例のサージカルドレープを、上記実施例１の開窓部の上端側に被覆して、各サージカルドレープのナート帯(5)側を対向させた状態で組み合わせることにより、上下方向に長尺な開窓部(3)を形成することが可能となる。これにより、この開窓部(3)の内周にはナート帯(5)が位置するものとなるため、このナート帯(5)を患者の皮膚にナートすることにより、ドレープ本体(1)に針穴を形成することなく開窓部(3)を患者に固定配置することができる。
【符号の説明】
【００１９】
１  ドレープ本体
３  開窓部
４  開口縁
５  ナート帯
６  端縁  
【図１】
0003184688.tif 000003
【図２】
0003184688.tif 000004
【図３】
0003184688.tif 000005
【図４】
0003184688.tif 000006
【図５】
0003184688.tif 000007